(57)【要約】      （修正有）【課題】イノシシなどの有害動物を田畑などから忌避する手段の提供。【解決手段】本発明者らは、イノシシなどの有害動物が、周波数１５０Ｈｚ〜８００Ｈｚを主成分とする音波を忌避することを新規に見出した。そこで、本発明では、周波数１５０Ｈｚ〜８００Ｈｚを主成分とする音波を発振する音波発振手段３を備える有害動物忌避装置Ａを提供する。例えば、有害動物が田畑・牧草地などに接近した際に、周波数１５０Ｈｚ〜８００Ｈｚを主成分とする音波を発振することにより、有害動物をその領域から忌避できる。【選択図】図２
2010246535.tif 000002
【特許請求の範囲】
【請求項１】
周波数１５０Ｈｚ〜８００Ｈｚを主成分とする音波を発振する音波発振手段を備える有害動物忌避装置。
【請求項２】
動物の接近を検知する動物検知手段を備える請求項１記載の有害動物忌避装置。
【請求項３】
正弦波、矩形波、三角波、のこぎり波のいずれかの連続音波を主成分とする音波である請求項１記載の有害動物忌避装置。
【請求項４】
８０ｄＢ以上の音波である請求項１記載の有害動物忌避装置。
【請求項５】
周波数１５０Ｈｚ〜８００Ｈｚを主成分とする音波を発振できる有害動物忌避用の鳴音器具。
【請求項６】
周波数１５０Ｈｚ〜８００Ｈｚを主成分とする音波を発振することにより有害動物を忌避する有害動物忌避方法。
【発明の詳細な説明】
【技術分野】
【０００１】
本発明は、周波数１５０Ｈｚ〜８００Ｈｚを主成分とする音波を発振することにより有害動物を忌避する有害動物忌避装置、有害動物忌避方法などに関する。
【背景技術】
【０００２】
近年、山林の人工林化、奥山開発、耕作放棄地の増加、自然環境の変化などに伴い、有害動物による農業被害などが深刻化している。有害動物として、鳥類では、カラス、ヒヨドリ、スズメ、カモ、ムクドリ、ハトなどが、獣類では、イノシシ、シカ、サル、クマハクビシン、タヌキ、ネズミ、カモシカ、アライグマ、ヌートリア、ウサギなどが挙げられる。これらの有害動物は、農作物を食したり、田畑を荒らしたりすることなどにより、農作物などに被害を与える。これによる経済的損失も甚大である。
【０００３】
例えば、イノシシは、踏み荒らし・ヌタウチによって乳熟期以降のイネを倒伏させる。また、イモ類（サツマイモ、サトイモなど）、果実、野菜、イネ（穂）、タケノコ、クリ、牧草などに対する食害を引き起こす。その他、ミミズ・昆虫を探すために田畑などを掘り荒らしたり、果実・クリなどを採るために幹・枝を折ったりなどもする。
【０００４】
これに対し、有害動物に対する防除手段として、例えば、防除柵（トタン板、金網、ワイヤーメッシュなど）・電気柵などで田畑などの周りを囲い、動物の侵入を防ぐ技術が採用されている。
【０００５】
また、この技術に加え、光（フラッシュ、松明など）、音（爆発音、ラジオの音、犬の鳴き声、超音波など）、匂い（木酢液・クレオソートなどの忌避剤、猛獣の糞など）などで動物に衝撃を与え、その動物を撃退する技術を組み合わせることも試みられている。
【０００６】
特許文献１には、動物の接触又は接近を検知する検知手段と音又は光を発生する威嚇装置とを設けた防獣フェンスが記載されている。特許文献２には、光センサー回路、衝撃電圧発生回路、及び、音響発生回路を設けた電気柵が記載されている。
【０００７】
特許文献３には、例えば、１〜５０ｋＨｚの発振周波数を所定時間内に連続的又は不連続的に高低変化させることにより、多種類の撃退音を発生させる鳥獣撃退装置が記載されている。特許文献４には、３〜５ｋＨｚの任意の可聴音を発生する獣用忌避音発生装置が記載されている。特許文献５には、超音波パルスを一定の周波数帯域において連続的に変化するように発生させる動物撃退装置が記載されている。
【特許文献１】特開２００２−１４２６５４号公報
【特許文献２】特開２００７−１７５００７号公報
【特許文献３】特開２００８−１１７７７号公報
【特許文献４】特開２００１−１２０１５８号公報
【特許文献５】特開２００７−１３５５２８号公報
【発明の開示】
【発明が解決しようとする課題】
【０００８】
上述の通り、防除柵などで田畑などを囲むとともに、電気、光、音、匂いなどで動物に衝撃を与え、有害動物を撃退する各種技術が試みられている。しかし、多くの場合、有害動物が比較的早期にそれらの衝撃に慣れてしまう。そのため、有害動物撃退効果は一時的であり、経済的損失も依然として大きい。
【０００９】
そこで、本発明は、田畑などから有害動物をより効果的に忌避させる技術を提供することなどを主な目的とする。
【課題を解決するための手段】
【００１０】
本発明者らは、イノシシなどの有害動物が、周波数１５０Ｈｚ〜８００Ｈｚを主成分とする音波を忌避することを新規に見出した。
【００１１】
そこで、本発明では、周波数１５０Ｈｚ〜８００Ｈｚを主成分とする音波を発振する音波発振手段を備える有害動物忌避装置、及び、該音波を発振できる有害動物忌避用の鳴音器具を提供する。
【００１２】
有害動物が所定時間この音波を聴くと、徐々に居心地が悪くなり、自発的にその領域から離れる。
【００１３】
従って、例えば、有害動物が田畑・牧草地などに有害動物が接近した際に、周波数１５０Ｈｚ〜８００Ｈｚを主成分とする音波を発振することにより、有害動物をその領域から忌避できる。
【００１４】
また、爆発音などとは異なり、この音波は有害動物に衝撃を与えるものではないため、有害動物がその音に慣れてしまうことが少ない。従って、有害動物忌避効果を長期間持続できる。
【発明の効果】
【００１５】
本発明により、有害動物を田畑などから効果的に忌避できる。
【発明を実施するための最良の形態】
【００１６】
＜本発明に係る有害動物忌避装置について＞
本発明は、周波数１５０Ｈｚ〜８００Ｈｚを主成分とする音波を発振する音波発振手段を少なくとも備える有害動物忌避装置を全て包含する。
【００１７】
以下、図１及び図２を用いて、この有害動物忌避装置の構成例について、説明する。なお、本発明は、これらの構成例のみに狭く限定されない。
【００１８】
図１は、本発明に係る有害動物忌避装置の例を示す外観模式図である。
【００１９】
図１の有害動物忌避装置Ａは、動物の接近を検知する動物検知手段１と所定の音波を出力する音波出力手段５を備える。
【００２０】
この装置Ａを、有害動物の接近・侵入を防止したい領域、例えば、田畑・牧草地などに設置する。そして、有害動物がその領域に入ると、動物検知手段１が動物の接近を検知し、音波出力手段５から所定の音波を出力し、有害動物をその領域から忌避する。
【００２１】
従って、動物検知手段１の検知可能領域と、音波出力手段５から出力される音波の到達方向・領域とがほぼ重なるような装置構成にすることが好ましい。
【００２２】
なお、この装置Ａを、一又は複数の別構成の音波出力手段と接続できる構成にしてもよい。例えば、装置Ａに一又は複数の別構成の音波出力手段を接続する。そして、動物検知手段１が動物の接近を検知した場合に、音波出力手段５と他の音波出力手段の両方から本発明に係る音波を出力する構成にすることにより、一セットの装置で有害動物を忌避できる領域を拡大できる。
【００２３】
出力する音波の周波数は、１５０Ｈｚ〜８００Ｈｚが好適であり、１５０Ｈｚ〜６００Ｈｚがより好適であり、４００Ｈｚ〜６００Ｈｚが最も好適である。なお、この周波数は、基本波（波形の主成分）がこの範囲のものであればよく、他の成分が含まれていてもよい。
【００２４】
音波の波形はどのようなものでもよく、特に限定されない。例えば、正弦波、矩形波、三角波、のこぎり波は、比較的簡易な電気回路で目的の周波数の音波を発生させることができる点で好適である。
【００２５】
音圧は、特に限定されないが、装置から１ｍの地点で８０ｄＢ以上（例えば、８０ｄＢ〜１５０ｄＢ）が好適である。また、音波は、１５秒間以上（例えば、１５秒間〜９０秒間）の連続音波であることが好適である。但し、例えば、夜間など、周囲環境が静謐な条件下では、８０ｄＢ以下でも有害動物忌避効果がある場合がある。従って、本発明は、上記音圧の場合のみに狭く限定されない。
【００２６】
有害動物としては、例えば、カラス、ヒヨドリ、スズメ、カモ、ムクドリ、ハトなどの鳥類、イノシシ、シカ、サル、クマ、ハクビシン、タヌキ、ネズミ、カモシカ、アライグマ、ヌートリア、ウサギなどの獣類などが挙げられる。この中では獣類の有害動物が好適であり、イノシシ、シカ、カモシカがより好適であり、イノシシが最も好適である。
【００２７】
図２は、本発明に係る有害動物忌避装置の内部構成例を示す概略ブロック図である。
【００２８】
図２の有害動物忌避装置Ａは、動物の接近を検知する動物検知手段１と、装置全体を制御する制御手段２と、所定の音波を発振する音波発振手段３と、発振された音波を増幅する増幅手段４と、増幅された音波を出力する音波出力手段５と、電源手段６とを備える。
【００２９】
動物検知手段１は、予め予測した領域に有害動物が入ったことを検知する。動物検知手段１として、例えば、赤外線センサー、温度センサー、カメラセンサー、超音波センサーなどを用いることができる。例えば、受動型の赤外線センサー（動物の発する赤外線の変化を検知するセンサー）は、装置構成を簡易化できる、消費電力が少ないなどの点で好適である。
【００３０】
制御手段２は、装置Ａ全体を制御する部位であり、例えば、作動部２１、タイマー部２２などを備える。動物検知手段１から出力された検知信号に基づき、作動部２１が音波発振手段３を作動させる。タイマー部２２は、音波発振手段３の作動時間を調整し、一定時間後に作動を止める。その他、音波の種類、音量、音波を発生させる時間などを設定する設定部を備える構成にしてもよい。
【００３１】
音波発振手段３は、所定の周波数の音波を発振する。音波発振手段３は、上述の周波数の音波を発振できるものであればよく、特に限定されない。例えば、正弦波、矩形波、三角波、のこぎり波などを発振する場合、公知の発振回路を用いることができる。
【００３２】
増幅手段４は、音波発振手段３で発振された音波を増幅する。増幅手段４には、アンプなどを用いてもよいし、ＩＣなどに組み込まれているものを利用してもよい。
【００３３】
音波出力手段５は、音波発振手段３で発振し、増幅手段４で増幅した音波を出力する。音波出力手段５には、スピーカーなど、公知のものを用いることができる。
【００３４】
電源手段６は、各手段に電源を供給し、駆動を行う。電源手段６は、例えば、乾電池、充電池、バッテリー電源、太陽電池などによる充電池など、直流電源を用いてもよいし、インバータなどを介して、商用周波数電源など交流電源を用いてもよい。
【００３５】
また、この有害動物忌避装置Ａを電気柵などに設置する場合には、電気柵を流れる電流を利用してもよい。
【００３６】
＜本発明に係る有害動物忌避用の鳴音器具について＞
本発明は、上述のような有害動物忌避装置のほか、周波数１５０Ｈｚ〜８００Ｈｚを主成分とする音波を発振できる有害動物忌避用の鳴音器具をすべて包含する。
【００３７】
図３は、本発明に係る有害動物忌避用の鳴音器具の例として、有害動物忌避用笛の一形態を示す外観模式図である。
【００３８】
図３の有害動物忌避用笛Ｂは、呼気を流入させる吹口部６と、流入した空気により発振するとともに発生した音波を共鳴させる本体部７と、外部に開口し空気を流出させる歌口部８とを備え、略筒状の本体部７の一端に吹口部６が、本体部７の壁面に歌口部８が、それぞれ形成された構成を有する。なお、略筒状の本体部７の他端は、開管型・閉管型のいずれでもよい。
【００３９】
この構成では、吹口部６から息を吹き込むことで、狭い吹口部６で空気を絞って流入させ、その空気を本体部７の内壁に当て、振動させることにより、特定の周波数の音波を発振させることができる。従って、空気を流入させることにより、周波数１５０Ｈｚ〜８００Ｈｚを主成分とする音波を発振することができるため、上述の有害動物忌避装置と同様、有害動物を所定領域から有効に忌避できる。
【００４０】
発生する音波の周波数は、公知技術により、適宜、設計・調整できる。例えば、吹口部６の形状・孔の大きさ、本体部７の形状・材質・長さ、本体部７の内部（空洞部）の容積・形状、歌口部８の大きさ・開口角度・形状などに基づいて、所定の周波数の音波が発振されるように調整する。
【００４１】
例えば、図３の有害動物忌避用笛Ｂのように、紐状体を取り付けるための掛具９を形成してもよい。この有害動物忌避用笛Ｂは小型・軽量で携帯しやすい。そこで、例えば、この笛Ｂを首に掛けるなどして日常的に携帯するようにしておくことにより、突然有害動物と遭遇した時などに、すばやくこの笛を鳴らして対応することができ、有害動物を有効に忌避できる。
【００４２】
その他、例えば、リード（薄片）を備える構成にし、呼吸気などにより空気の流出又は流入させてリードを振動させることにより音波を発振させてもよい。
【００４３】
その場合も、前記と同様、発生する音波の周波数は、例えば、空気の流出・流入部の形状・孔の大きさ・開口部の角度・材質、リードの材質・剛性、器具本体の形状・材質・長さ、本体内部の容積・形状などに基づいて、公知技術により、適宜、設計・調整できる。
【００４４】
＜本発明に係る有害動物忌避方法について＞
本発明に係る有害動物忌避方法は、上述の音波を発振することにより有害動物を忌避する方法を含むものを全て包含する。
【００４５】
上述の通り、本発明者らは、イノシシなどの有害動物が、周波数１５０Ｈｚ〜８００Ｈｚを主成分とする音波を忌避することを新規に見出した。
【００４６】
そこで、有害動物の接近・侵入を防止したい領域、例えば、田畑・牧草地などにおいて、この音波を発振することにより、有害動物をその領域から効果的に忌避できる。
【実施例１】
【００４７】
本実施例では、イノシシに各周波数の音波を提示し、反応を調べた。
【００４８】
２歳齢のイノシシ、メス２頭（個体Ａ及びＢ）、オス２頭（個体Ｃ及びＤ）を、それぞれ個別飼育檻（２３０ｃｍ×１００ｃｍ×１５０ｃｍ）に収容した。
【００４９】
音波発生装置を用いて、各提示音波を発生させた。波形を正弦波（サイン波）に設定し、それぞれ、低〜中周波数では５０Ｈｚ、１００ｈｚ、２００Ｈｚ、５００Ｈｚ、１ｋＨｚ、２ｋＨｚに、中〜高周波数では１０ｋＨｚ、２０ｋＨｚ、３０ｋＨｚ、４０ｋＨｚ、５０ｋＨｚ、６０ｋＨｚ、７０ｋＨｚに周波数を設定した。音圧を６５〜９０ｄＢに、音波の提示時間を１０秒間に設定した。
【００５０】
そして、１頭ずつ音波を提示し、供試個体の行動をデジタルビデオカメラ２台で記録した。
【００５１】
結果を表１〜４に示す。各表中、「周波数」は提示音波の周波数を表す。各表中、「音波に対する反応」は、提示音波に対する供試個体の反応を表し、提示音波が供試個体に聞こえているかどうかを判断する指標である。同項目中、「静止」は提示音波に反応して静止する行動が見られたことを、「音源探査」は提示音波に反応して音源を捜す行動が見られたことを、「音源定位」は音源の方向・位置を把握する行動が見られたことをそれぞれ表す。各表中、「音波に対する忌避行動」は、提示音波に対する供試個体に忌避行動を表す。同項目中、「逃避」は提示音波に対し音源から逃避する行動が見られたことを、「身震い」は提示音波に対し身震いをする行動が見られたことをそれぞれ表す。各表中、「−」は特に顕著な行動が見られなかったことを表す。
【００５２】
【表１】
2010246535.tif 000003
【表２】
2010246535.tif 000004
【表３】
2010246535.tif 000005
【表４】
2010246535.tif 000006
【００５３】
表１〜４中、「音波に対する反応」の項目に示す通り、ほぼ全ての個体において、１００Ｈｚ〜４０ｋＨｚの周波数帯で音波に対する反応が見られた。このことは、イノシシの可聴域がおおよそその範囲であることを示唆する。なお、この値は、ブタの可聴域（４２Ｈｚ〜４０．５ｋＨｚ）と近似している。また、ヒトの可聴域は２０Ｈｚ〜２０ｋＨｚであり、イノシシは、超音波（２０ｋＨｚ以上）も聞き取ることができることを示唆する。
【００５４】
表１〜４中、「音波に対する忌避行動」の項目に示す通り、２００Ｈｚ及び５００Ｈｚの周波数帯において、複数個体で逃避、身震いなどの忌避行動が見られた。このことは、イノシシが、この近辺の周波数帯（１５０Ｈｚ〜８００Ｈｚ）の音波を忌避することを示唆する。なお、超音波（２０ｋＨｚ以上）を聞かせた場合には、特に音波に対する忌避行動は見られなかった。
【実施例２】
【００５５】
実施例２では、実際に野生で暮らすイノシシに対し、５００Ｈｚの音波を提示し、反応を調べた。
【００５６】
試作品として、５００Ｈｚの正弦波が主成分の音波を発生する有害動物忌避装置を作製した。その有害動物忌避装置を用いて、それぞれ、子１匹を連れたメス（個体Ｅ）、子３匹を連れたメス（個体Ｆ）、オス（個体Ｇ）に対し、５００Ｈｚの音波を音圧８５ｄＢ（装置から１ｍ地点）で３０〜４０秒間提示し、供試個体の行動をデジタルビデオカメラ２台で記録した。この実験を、各個体を餌付けで所定位置に戻し、３〜４回、繰り返した。
【００５７】
その結果、全ての個体で、音に対する逃避行動が見られた。いずれの個体も、音波発生時における衝撃・驚愕は少なかったが、音波発生後に落ち着きをなくし、音源から徐々に遠ざかった。逃避行動は、メス（個体Ｅ及び個体Ｆ）で特に顕著であった。子イノシシも母イノシシと同様の逃避行動を示した。
【図面の簡単な説明】
【００５８】
【図１】本発明に係る有害動物忌避装置の例を示す外観模式図。
【図２】本発明に係る有害動物忌避装置の内部構成例を示す概略ブロック図。
【図３】本発明に係る有害動物忌避用の鳴音器具の例として、有害動物忌避用笛の一形態を示す外観模式図。
【符号の説明】
【００５９】
１    動物検知手段
２    制御手段
２１  タイマー部
３    音波発振手段
４    増幅手段
５    音波出力手段
６    笛の吹口部
７    笛の本体部
８    笛の歌口部
Ａ    有害動物忌避装置
Ｂ    鳴音器具（有害動物忌避用笛）
【図１】
2010246535.tif 000007
【図２】
2010246535.tif 000008
【図３】
2010246535.tif 000009